(57)【要約】【課題】歯科用治療椅子に安楽椅子と同様の動作をさせる構造を持たせることで、治療の際、もっとも快適であるといわれているノーズ・ニーポジションを崩さず、なおかつ、患者の頭のずれや背ずれをなくし、更には、スリッパが脱げるなどの問題を解決する。【解決手段】歯科用治療椅子本体１０は、安頭台１、バックレスト２、コンターシート３、レッグレスト４、及び、フットレスト５等からなる。前記コンターシート３を前後２箇所で夫々独立して上下動可能に支持する昇降機構１１1，１１2で基台２０上に支持されている。昇降機構１１1，１１2を夫々独立に上下動させることで、治療椅子本体１０の形態を変えることなく、該治療椅子本体１０を図２（Ａ）に示す状態にしたり、図２（Ｂ）に示す状態にしたりすることができる。【選択図】図２
2006075279.tif 000002
【特許請求の範囲】
【請求項１】
安頭台、バックレスト、コンターシート、レッグレスト、及び、フットレストとからなる歯科用治療椅子において、前記コンターシートを前後２箇所で夫々独立して上下動可能に支持する昇降機構を有することを特徴とする歯科用治療椅子。
【発明の詳細な説明】
【技術分野】
【０００１】
本発明は、歯科用治療椅子、より詳細には、歯科用治療椅子に安楽椅子方式の構造を持たせることで、治療椅子傾動の際、もっとも快適であるといわれているノーズ・ニーポジションを崩さず、なおかつ、患者の頭のずれや背ずれをなくし、更には、足の裏がフットレストから離れる、スリッパが脱げてしまうなどの問題を解決した歯科用治療椅子に関する。
【背景技術】
【０００２】
図３は、従来の歯科用治療椅子の一例を説明するための概略構成図で、図中、１０は歯科用治療椅子本体、２０は該歯科用治療椅子本体１０を支持する基台で、該歯科用治療椅子本体１０は、安頭台１、バックレスト２、コンターシート３、レッグレスト４、フットレスト５等からなる基台２０の上に昇降機構１１で上下動及び傾動可能に支持されており、図３（Ａ）に示すように、治療椅子本体１０を起状態にした状態、或いは、図３（Ｂ）に示すように倒（寝）状態にした状態にできるようになっている。
【０００３】
上述のごとき歯科用治療椅子においては、一般的に、バックレスト２を倒した時に、具体的には、歯科用治療椅子を図３（Ａ）に示す起状態から図３（Ｂ）に示す寝状態にした時に、患者の上半身と椅子自体の支点との間に生じる支点のずれによって、患者と椅子との整合性が悪くなり、患者は、バックレスト２を倒した後（寝状態にした後）、自分で身体をずらして椅子との整合性をとる必要があった。このような不都合を解決するために、バックレスト起倒時、該バックレストの起倒と同時に該バックレストを前後に移動させ、もって、患者と治療椅子との整合をとることが提案されている。（例えば、特許文献１、特許文献２参照）。
【特許文献１】実公平３−３３１２号公報
【特許文献２】実公平３−３３１５号公報
【発明の開示】
【発明が解決しようとする課題】
【０００４】
上述のように、従来の歯科用治療椅子は、通常、図３（Ａ）に示す起状態にあり、この起状態で、患者は治療椅子に乗降し、治療時には、図３（Ｂ）に示す寝状態にし、この寝状態で治療を行う。寝状態にする際、バックレスト２が倒れるが、その際、前述のように、背ずれが生じたり、安頭台と頭の位置がずれたり、また、スリッパが脱げる等の問題があった。
【０００５】
本発明は、上述のごとき問題を解決するためになされたもので、治療椅子の形態を変えることなく、起状態及び寝状態にさせることを可能とし、換言すれば、治療椅子に安楽椅子のような動きをさせることで、患者の姿勢を変えることなく、起状態から寝状態にすることを可能にすることを目的としてなされたものである。
【課題を解決するための手段】
【０００６】
本発明は、安頭台、バックレスト、コンターシート、レッグレスト、及び、フットレストとからなる歯科用治療椅子において、前記コンターシートを前後２箇所で夫々独立して上下動可能に支持する昇降機構を有することを特徴としたものである。
【発明の効果】
【０００７】
本発明によると、歯科用治療椅子本体、より詳細には、歯科用治療椅子に安楽椅子と同様の動作をさせる構造を持たせることで、治療の際、もっとも快適であるといわれているノーズ・ニーポジションを崩さず、なおかつ、患者の頭のずれや背ずれ感、スリッパが脱げるなどの問題が解決できた。
【発明を実施するための最良の形態】
【０００８】
図１は、本発明による歯科用治療椅子の一実施例を説明するための要部概略構成図で、図中、図３に示した従来技術と同様の作用をする部分には、図３の場合と同一の参照番号が付してある。而して、安頭台１をバックレスト２に対して位置調整（上下動及び前後動）可能であること、バックレスト２をコンターシート３に対して傾動可能であること、コンターシート３を上下動可能であること、レッグレスト４をコンターシート３に対して位置調整可能であること、更に、フットレスト５をレッグレスト４に対して位置調整可能であることは、従来の歯科用治療椅子と同じであり、治療に先立って、周知のように、これらを患者の体形（大きさ）に合せて調整し、その状態で、患者は治療椅子に座る。
【０００９】
本発明においては、治療椅子本体１０を上下動する機構として、コンターシート３の前方及び後方の２箇所に夫々独立して上下動動作可能な昇降機構例えばピストン・シリンダ機構１１1，１１2を有し、図１（Ａ），（Ｂ）においては、これら両機構１１1，１１2を同時にかつ同方向に同量移動させて、治療椅子本体１０を上下動させた状態を示している。
【００１０】
図２は、本発明による歯科用治療椅子の動作例を説明するための要部概略構成図で、安頭台１乃至フットレスト５は、前述のように、患者の体形に適した状態に調整され、患者は、その状態で治療を受ける。而して、従来技術においては、図３（Ｂ）に示したように、治療椅子本体１０は、寝状態時、安頭台１乃至フットレスト５が一直線となり、ベッド状態となるが、その際、前述のように、ノーズ・ニーポジションが崩れ、頭ずれや背ずれを生じ、更には、スリッパが脱げてしまう等の問題があった。
【００１１】
而して、本発明においては、コンターシート３は、夫々独立に上下動作する前後２箇所の昇降機構１１1，１１2によって傾動され、安頭台１乃至フットレスト５の状態を崩すことなく、つまり、患者の体形に合せて調整されたままの状態で、図２（Ａ）に示す状態、或いは、図２（Ｂ）に示す状態等、所望の状態にされ、例えば、図２（Ｂ）に示す状態にして、歯科治療を行う。なお、昇降機構１１1，１１2として、ピストン・シリンダを用いた例について説明したが、この昇降機構は、モータ駆動のラック・ピニオン機構等任意所望の機構を用いることができる。
【００１２】
上述のように、本発明によると、椅子自体の形状を変えることなく、患者を起治療状態、寝治療状態にすることができるので、例えば、治療椅子を起状態から寝状態にした時に、頭や背が治療椅子からずれるようなことはなく、また、フットステップの位置が変わらないので、足を常にフットレスト５の上に載せておくことができ、スリッパが脱げるようなこともない。
【図面の簡単な説明】
【００１３】
【図１】本発明による歯科用治療椅子の一実施例を説明するための要部概略構成図である。
【図２】本発明による歯科用治療椅子の動作例を説明するための要部概略構成図である。
【図３】従来の歯科用治療椅子の例を説明するための要部概略構成図である。
【符号の説明】
【００１４】
１…安頭台、２…バックレスト、３…コンターシート、４…レッグレスト、５…フットレスト、１０…歯科用治療椅子本体、１１，１１1，１１2…昇降機構、２０…基台。
【図１】
2006075279.tif 000003
【図２】
2006075279.tif 000004
【図３】
2006075279.tif 000005